(57)【要約】【課題】ワイヤハーネスの固定代となる延出部においても簡単な構成でワイヤハーネスを効果的に保護する。【解決手段】上面を開放してワイヤハーネスＷを収容する樋状の本体２の長手方向の端部に、ワイヤハーネスＷをビニルテープＴ等によって結束するための延出部１０を延長状に突設したワイヤハーネスプロテクタ１において、本体２の上面を閉塞するカバー３の長手方向の端部に、延出部１０と同じ長さで突出する保護部１４を延長状に形成して、保護部１４を薄肉のヒンジ１５を介して任意に折り曲げ可能とした。【選択図】図３
2010284043.tif 000002
【特許請求の範囲】
【請求項１】
上面を開放してワイヤハーネスを収容する樋状の本体と、その本体の上面を閉塞可能なカバーとを備え、前記本体の長手方向の端部に、前記ワイヤハーネスを結束体によって結束するための延出部を延長状に突設したワイヤハーネスプロテクタであって、
前記延出部形成側で前記カバーの長手方向の端部に、少なくとも前記延出部と同じ長さで突出する保護部を延長状に形成して、前記延出部及び／又は前記保護部をヒンジを介して任意に折り曲げ可能としたことを特徴とするワイヤハーネスプロテクタ。
【請求項２】
前記ヒンジを前記カバーと保護部との間に設けて前記保護部のみを折り曲げ可能としたことを特徴とする請求項１に記載のワイヤハーネスプロテクタ。
【請求項３】
前記保護部側の前記ヒンジを、長手方向で前記本体と延出部との境目と一致する位置に設けたことを特徴とする請求項１又は２に記載のワイヤハーネスプロテクタ。
【請求項４】
前記ヒンジを前記本体と延出部との間に設けて前記延出部のみを折り曲げ可能としたことを特徴とする請求項１に記載のワイヤハーネスプロテクタ。
【請求項５】
前記本体とカバーとを薄肉のヒンジ部を介して結合し、前記延出部と保護部とを含めて合成樹脂で一体成形したことを特徴とする請求項１乃至４の何れかに記載のワイヤハーネスプロテクタ。
【請求項６】
前記保護部が折り曲げない状態で前記延出部と当接するものにあっては、前記保護部及び／又は前記延出部における前記相手側への当接部分に、前記結束体の結束厚みを吸収する切欠きを形成したことを特徴とする請求項１乃至５の何れかに記載のワイヤハーネスプロテクタ。
【発明の詳細な説明】
【技術分野】
【０００１】
本発明は、自動車用のワイヤハーネスを保護するために用いられるワイヤハーネスプロテクタに関する。
【背景技術】
【０００２】
ワイヤハーネスを自動車内に配設する際、ワイヤハーネスの固定と保護のためにワイヤハーネスプロテクタ（以下本明細書では単に「プロテクタ」という。）が用いられる。図７にその一例を示す。このプロテクタ２０は、ワイヤハーネスを収容可能な樋状の本体２１と、その本体２１の上面を閉塞するカバー２２とを薄肉のヒンジ部２３，２３・・で結合した合成樹脂の一体成形品となっている。２４はカバー２２に設けられた係止片、２５は、本体２１に設けられてカバー２２を閉じた際に係止片２４が挿入して係止する被係止部である。よって、本体２１にワイヤハーネスを収容してカバー２２を閉じると、図８に示すようにワイヤハーネスＷの周囲がプロテクタ２０によって保護される。
また、このプロテクタ２０において、本体２１の端部には、長手方向へ延長状に突出してワイヤハーネスＷの固定代（しろ）となる延出部２６が設けられている。この延出部２６を利用してビニルテープＴや結束バンド等を巻き付けることで、ワイヤハーネスＷをプロテクタ２０に結束することができる（プロテクタや延出部の例として特許文献１〜３参照）。
【先行技術文献】
【特許文献】
【０００３】
【特許文献１】特開２００４−３２０８３７号公報
【特許文献２】特開２００４−１６６４６１号公報
【特許文献３】特開２００４−６４９２０号公報
【発明の概要】
【発明が解決しようとする課題】
【０００４】
プロテクタの延出部は、図７，８のように本体２１の底板部分と片方の側板とが突出する断面Ｌ字状の他、特許文献１〜３に開示されるように本体の底板のみ或いは側板のみを突出させて設けることもあるが、何れにしてもワイヤハーネスとビニルテープ等との接触面積を確保するために、本体より断面形状は小さくなるように部分的に突設されている。
一方、カバーは、本体と異なり、延出部に対応する長さで形成されていない。これは、カバーを長くすると、テープ巻きを行う際に邪魔になって作業性を悪くするからである。
このように、単独で突出する延出部にワイヤハーネスが結束されることで、ワイヤハーネスが延出部において剥き出しになる。よって、自動車に取り付けられる際に延出部を誤って踏み付けたり引っ掛けたりすると損傷や断線のおそれがあるため、配線作業に注意を要する。図９のようにビニルテープに代えて合成樹脂製の保護キャップ２７を外装すれば改善されるが、コストアップに繋がる上、保護キャップ２７の外装作業も面倒となって作業性が低下してしまう。
【０００５】
そこで、本発明は、簡単な構成で、延出部においてもワイヤハーネスを効果的に保護でき、良好な作業性に寄与できるプロテクタを提供することを目的としたものである。
【課題を解決するための手段】
【０００６】
上記目的を達成するために、請求項１に記載の発明は、延出部形成側でカバーの長手方向の端部に、少なくとも延出部と同じ長さで突出する保護部を延長状に形成して、延出部及び／又は保護部をヒンジを介して任意に折り曲げ可能としたことを特徴とするものである。
請求項２に記載の発明は、請求項１の構成において、ヒンジをカバーと保護部との間に設けて保護部のみを折り曲げ可能としたことを特徴とするものである。
請求項３に記載の発明は、請求項１又は２の構成において、保護部側のヒンジを、長手方向で本体と延出部との境目と一致する位置に設けたことを特徴とするものである。
請求項４に記載の発明は、請求項１の構成において、ヒンジを本体と延出部との間に設けて延出部のみを折り曲げ可能としたことを特徴とするものである。
請求項５に記載の発明は、請求項１乃至４の何れかの構成において、本体とカバーとを薄肉のヒンジ部を介して結合し、延出部と保護部とを含めて合成樹脂で一体成形したことを特徴とするものである。
請求項６に記載の発明は、請求項１乃至５の何れかの構成において、保護部が折り曲げない状態で延出部と当接するものにあっては、保護部及び／又は延出部における相手側への当接部分に、結束体の結束厚みを吸収する切欠きを形成したことを特徴とするものである。
【発明の効果】
【０００７】
請求項１に記載の発明によれば、保護部を設ける簡単な構成で、延出部においてもワイヤハーネスを効果的に保護でき、取り扱い性に優れる。而も、延出部及び／又は保護部を折り曲げることで延出部での結束が支障なく行えるため、保護部を設けても結束に係る作業性を損なうことがない。
請求項２に記載の発明によれば、請求項１の効果に加えて、保護部のみを折り曲げ可能としているので、ストレートな延出部に対してワイヤハーネスの位置関係が変化しない。従って、ワイヤハーネスに折り曲げを考慮して余長を設定する必要がなく、従来通り簡単に結束できる。
請求項３に記載の発明によれば、請求項１又は２の効果に加えて、保護部を折り曲げた際に延出部の全体を露出させることができ、結束作業がより容易に行える。
請求項４に記載の発明によれば、請求項１の効果に加えて、結束作業の際にワイヤハーネスを屈曲させる必要が生じるものの、ヒンジを設けない分保護部の強度が高くなり、ワイヤハーネスの保護に係る信頼性がより高くなる。
請求項５に記載の発明によれば、請求項１乃至４の何れかの効果に加えて、本体とカバーとを別個に管理する必要がなく、プロテクタを低コストで作製可能となる。
請求項６に記載の発明によれば、請求項１乃至５の何れかの効果に加えて、ワイヤハーネスの結束後でも保護部が浮き上がることなくカバーとの面一状態が維持できるので，取り扱い性に優れる。
【図面の簡単な説明】
【０００８】
【図１】形態１のプロテクタの斜視図である。
【図２】形態１のプロテクタへのワイヤハーネスの装着状態を示す斜視図である。
【図３】形態１のプロテクタへのワイヤハーネスの装着状態を示す斜視図である。
【図４】形態１のプロテクタの変更例を示す斜視図である。
【図５】形態２のプロテクタへのワイヤハーネスの装着状態を示す斜視図である。
【図６】形態２のプロテクタへのワイヤハーネスの装着状態を示す斜視図である。
【図７】従来のプロテクタの斜視図である。
【図８】従来のプロテクタへのワイヤハーネスの装着状態を示す斜視図である。
【図９】従来のプロテクタへのワイヤハーネスの装着状態を示す斜視図である。
【発明を実施するための形態】
【０００９】
以下、本発明の実施の形態を図面に基づいて説明する。
［形態１］
図１は、プロテクタの一例を示す斜視図で、プロテクタ１は、帯状の底板４と、その底板４の両長手側縁に立設される一対の側板５，６とを有して上面を開放した樋状の本体２と、その本体２の一方の側板５の上端に薄肉のヒンジ部７，７・・を介して結合され、本体２の上面を閉塞可能なカバー３とを備えてなる。カバー３におけるヒンジ部７と反対側の側縁には、係止片８，８・・が直角に連設される一方、本体２の側板６の上端外側には、カバー３の閉塞位置で係止片８が夫々差し込み結合される被係止部９，９・・が一体形成されている。
【００１０】
また、本体２の長手方向の端部では、底板４と側板６とが延長状に突出して、下板１１と縦板１２とからなる横断面Ｌ字状の延出部１０が形成されている。１３は、縦板１２の先端で外側へ折り返し形成される抜け止め片である。
一方、カバー３においても、長手方向の端部が延出部１０と同じ長さで延長状に突出して、カバー３の幅よりも僅かに狭い板状の保護部１４を形成している。この保護部１４とカバー３との間で、長手方向で本体２と延出部１０との境目（延出部１０の根元）と一致する位置には、薄肉のヒンジ１５が設けられて、保護部１４はカバー３と面一になる突出位置からその厚み方向へ任意に折り曲げ可能となっている。このプロテクタ１は、延出部１０や保護部１４も含めて合成樹脂で一体成形されている。
【００１１】
以上の如く構成されたプロテクタ１においては、カバー３を開放した状態でワイヤハーネスを本体２へ収容し、カバー３を閉じて各係止片８を対応する被係止部９に夫々差し込むと、本体２の上面が閉塞されてワイヤハーネスの周囲が本体２及びカバー３で囲まれる。
そして、プロテクタ１の端部では、保護部１４を上方へ折り曲げると、延出部１０上でワイヤハーネスＷが露出するため、図２のように延出部１０ごとワイヤハーネスＷに結束体となるビニルテープＴを巻き付けて延出部１０にワイヤハーネスＷを結束できる。作業終了後、保護部１４を突出位置へ戻すと、図３のように延出部１０上のワイヤハーネスＷが保護部１４によって上方が保護される格好となる。よって、自動車に取り付ける際に延出部１０を誤って踏み付けたり引っ掛けたりしてもワイヤハーネスＷが損傷等するおそれが低減される。
【００１２】
このように、上記形態１のプロテクタ１によれば、延出部１０の形成側でカバー３の長手方向の端部に、延出部１０と同じ長さで突出する保護部１４を延長状に形成して、保護部１４をヒンジ１５を介して任意に折り曲げ可能としたことで、保護部１４を設ける簡単な構成で、延出部１０においてもワイヤハーネスＷを効果的に保護でき、取り扱い性に優れる。而も、保護部１４を折り曲げることで延出部１０でのテープ巻きが支障なく行えるため、保護部１４を設けてもテープ巻きに係る作業性を損なうことがない。
特にここでは、ヒンジ１５をカバー３と保護部１４との間に設けて保護部１４のみを折り曲げ可能としているので、ストレートな延出部１０に対してワイヤハーネスＷの位置関係が変化しない。従って、ワイヤハーネスＷに折り曲げを考慮して余長を設定する必要がなく、従来通り簡単にテープ巻きできる。
【００１３】
また、ヒンジ１５を、長手方向で本体２と延出部１０との境目と一致する位置に設けたことで、保護部１４を折り曲げた際に延出部１０の全体を露出させることができ、テープ巻き作業がより容易に行える。
さらに、本体２とカバー３とを薄肉のヒンジ部７を介して結合し、延出部１０と保護部１４とを含めて合成樹脂で一体成形しているので、本体２とカバー３とを別個に管理する必要がなく、プロテクタ１を低コストで作製可能となる。
【００１４】
なお、形態１において、保護部のヒンジは、延出部の根元と同じ位置に設けているが、テープ巻きの邪魔にならなければ突出方向前方へずらしてもよい。
また、保護部が当接する延出部の縦板には、図４に示すように、テープ巻きの厚さ分だけ低くなるように上面に切欠き１６を形成してもよい。このように当接部分にテープ巻きの厚みを吸収する切欠き１６を形成すれば、テープ巻き後でも保護部１４が浮き上がることなくカバー３との面一状態が維持できるので，取り扱い性に優れる。この切欠きは保護部の裏面側に設けてもよいし、延出部と保護部との互いの当接部分に設けてもよい。
その他、延出部はＬ字型に限らず、本体の底板のみ、或いは側板のみから延長状に突設させても差し支えない。
【００１５】
［形態２］
次に、本発明の他の形態を説明する。但し、形態１と同じ構成部には同じ符号を付して重複する説明は省略する。
図５に示すプロテクタ１ａにおいて、延出部１０ａは、本体２の底板４のみから延長状に突出する平板状に形成されて、その延出部１０ａと底板４との間（延出部１０ａの根元）にヒンジ１７が設けられて、ここでは延出部１０ａが上下に折り曲げ可能となっている。一方、保護部１４は、ヒンジを介さずにカバー３から延長状に突設されて、折り曲げできない形状となっている。
【００１６】
以上の如く構成されたプロテクタ１ａにおいては、カバー３を開放した状態でワイヤハーネスＷを本体２へ収容し、カバー３を閉じると、本体２の上面が閉塞されてワイヤハーネスＷの周囲が本体２及びカバー３で囲まれる。
そして、プロテクタ１ａの端部では、ワイヤハーネスＷを下方へ折り曲げると、延出部１０ａも共に下方へ折曲してワイヤハーネスＷが屈曲状態で露出するため、図５のように延出部１０ａごとワイヤハーネスＷにビニルテープＴを巻き付けて延出部１０ａに結束することができる。作業終了後、延出部１０ａを突出位置へ戻すと、図６のように延出部１０ａ上のワイヤハーネスＷが保護部１４によって上方を保護される格好となる。よって、自動車に取り付ける際に誤って延出部１０ａを踏み付けたり引っ掛けたりしてもワイヤハーネスＷが損傷等するおそれが低減される。
【００１７】
このように、上記形態２のプロテクタ１ａによれば、保護部１４を設ける簡単な構成で、延出部１０ａにおいてもワイヤハーネスＷを効果的に保護でき、取り扱い性に優れる。而も、延出部１０ａを折り曲げることで延出部１０ａでのテープ巻きが支障なく行えるため、保護部１４を設けてもテープ巻きに係る作業性を損なうことがない。
特にここでは、ヒンジ１７を本体２と延出部１０ａとの間に設けて延出部１０ａのみを折り曲げ可能としたので、テープ巻きの際にワイヤハーネスＷを屈曲させる必要が生じるものの、ヒンジを設けない分保護部１４の強度が高くなり、ワイヤハーネスＷの保護に係る信頼性がより高くなる。
【００１８】
なお、形態２において、延出部は本体の底板から突出させる構成に限らず、側板から突出させてヒンジによって折り曲げ可能としてもよい。また、底板と側板とから夫々延長状となるＬ字型にして、一方にヒンジを設けて他方を本体から切り離して折り曲げ可能とすることも可能である。勿論この場合も形態１のように、保護部との当接部分に結束厚みを吸収する切欠きを設けることができる。
【００１９】
そして、形態１，２に共通して、保護部は延出部と同じ長さで突出させているが、延出部より長く突出させたり、幅を延出部より大きくしたりしても差し支えない。また、平板状とする以外に、保護部の左右の側縁の一方又は両方に下方への折り曲げ片を形成した断面Ｌ字状又はコ字状として、ワイヤハーネスの側面も保護できるようにしてもよい。
さらに、本体は底板と側板とからなる横断面倒コ字状に限らず、延出部が形成可能であれば、横断面が多角形や半円、Ｕ字状であってもよいし、カバーと一体形成せずに別々に形成してもよい。勿論直線状でなく、例えば直角に屈曲したプロテクタであっても本発明は適用可能である。
その他、結束体としてはビニルテープに限らず、結束バンド等も利用できる。
【符号の説明】
【００２０】
１，１ａ・・プロテクタ、２・・本体、３・・カバー、４・・底板、５，６・・側板、７・・ヒンジ部、８・・係止片、９・・被係止部、１０，１０ａ・・延出部、１１・・下板、１２・・縦板、１４・・保護部、１５，１７・・ヒンジ、１６・・切欠き、Ｗ・・ワイヤハーネス、Ｔ・・ビニルテープ。
【図１】
2010284043.tif 000003
【図２】
2010284043.tif 000004
【図３】
2010284043.tif 000005
【図４】
2010284043.tif 000006
【図５】
2010284043.tif 000007
【図６】
2010284043.tif 000008
【図７】
2010284043.tif 000009
【図８】
2010284043.tif 000010
【図９】
2010284043.tif 000011